【事件の表示】
　平成　９年特許願第　２５８９６号「冷凍ユニット」拒絶査定に対する審判事件［平成１０年　８月　４日出願公開、特開平１０−２０５９７３］について、次のとおり審決する。
【結　論】
　本件審判の請求は、成り立たない。
【理　由】
１．手続の経緯
　
　本願は、平成９年１月２４日に出願され、平成１３年１１月２１日付け拒絶理由の通知に対応するために、平成１４年１月２４日付け手続補正書によって、特許請求の範囲および発明の詳細な説明の欄が補正された。その後、平成１４年２月１３日付けで拒絶の査定がなされ、平成１４年３月１５日（受付日）に当該査定を不服とする審判が請求され、同日付け手続補正書により、特許請求の範囲および発明の詳細な説明の欄が補正された。
　
２．補正の却下の決定
　
［補正却下の決定の結論］
　
　平成１４年３月１５日付け手続補正書によりなされた補正を却下する。
　
［理　由］
　
（１）補正の概要
　
　平成１４年３月１５日付け手続補正書による補正（以下、「本件補正」という。）の概要は以下のとおり。
　
補正事項ａ：
　本件補正前の請求項１に係る発明の構成要件である「付属部品」に対して「冷却空気のガイド専用ではない」との限定を付加した。
　
補正事項ｂ：
　請求項２を追加し、請求項の数が１増加した。請求項２は、請求項１を引用するものであって、請求項１の「冷凍ユニット」に対して「上記付属部品が膨張弁カバー及び圧力スイッチ取付け板である」との限定を付加した。
　
補正事項ｃ：
　特許請求の範囲に対する上記補正事項ａ、補正事項ｂに整合させるために、発明の詳細な説明の欄の段落【０００６】および【０００７】の欄を補正した。
　
（２）当審の判断
　
　上記「補正事項ｂ」は、請求項の数を増加させるものであるから、特許請求の範囲の減縮には該当しない。また、補正事項ｂは、請求項の削除、誤記の訂正ならびに明りょうでない記載の釈明のいずれかを目的とするものでもない。
　
　以上のとおりであるから、本件補正は特許法第１７条の２第４項の規定に違反するから、同法第１５９条第１項において読み替えて準用する同法第５３条第１項の規定により却下されるべきものである。
　
３．本願発明について
　
（１）本願発明
　
　上記「２．」のとおり、平成１４年３月１５日付け手続補正書による補正は却下されたので、本願の特許請求の範囲の請求項１に係る発明（以下、「本願発明」という。）は、平成１４年１月２４日付け手続補正書によって補正された、【特許請求の範囲】の欄の【請求項１】に記載された以下のとおりのものと認める。
　
「【請求項１】　冷媒凝縮器、ファンモータ及び冷媒圧縮機が順次直列に配置され、上記冷媒圧縮機の側方で上記冷媒圧縮機と間隔をおき、かつ、上記ファンモータからの冷却空気吐出方向より外れた位置に付属部品が配設されて、上記付属部品が冷却空気の流れをガイドし、上記冷媒圧縮機の両側方に冷却空気通路が形成された冷凍ユニット。」
　
（２）原審での拒絶の理由
　
　原審での査定の理由の概要は、以下のとおりである。
　
　本願発明は、平成１３年１１月１２日付け拒絶理由通知書に引用文献１、２として記載された、次の「（３）引用例」に掲げる刊行物に記載されたものに基づいて当業者が容易に発明をすることができたものであるから、特許法第２９条第２項の規定により特許を受けることができない。
　
（３）引用例
　
　上記拒絶理由通知書に引用した刊行物には、それぞれ図面とともに以下の事項が記載されている。
　
・実願平３−８２７６２号（実開平５−３６２７７号）のＣＤ−ＲＯＭ（以下、「刊行物１」という。）
　
イ）「【産業上の利用分野】
　本考案は、冷凍回路のコンデンシングユニットに関する。」（段落【０００１】）
　
ロ）「【考案の作用・効果】
　本考案においては、風案内板が凝縮器のファンモータ側端部から圧縮機の側方にまで延在する構成であるため、エアフィルタが目詰まりしていない状態でファンモータの作動によりエアフィルタと凝縮器を通して吸引された多量の空気は風案内板に沿って流れ、この風案内板に沿って流れた空気は全て圧縮機の周囲を通過するため、圧縮機が高効率にて冷却される。また、エアフィルタがひどく目詰まりしてエアフィルタと凝縮器を通して空気が殆ど吸引されなくなると、ファンモータにおけるファンの周囲にてファンの外周部から吹き出された空気がファンの中心部から吸い込まれて循環するようになるが、ファンの外周部から吹き出された空気は下流に向けて開く風案内板に当たって斜めに跳ね返り下流に偏向されるため、空気循環経路が下流に延びた形状となって圧縮機の側部から前部に沿って空気が流れるようになり、この空気によって圧縮機が冷却されて圧縮機の異常過熱が防止される。なお、風案内板を放熱可能な伝熱材料にて形成した場合には、上記空気循環経路に沿って流れる空気の熱を風案内板全体に伝えて放熱することができるため、圧縮機の冷却効率を高めることができる。」（段落【０００５】）
　
ハ）「【実施例】
　以下に、本考案の一実施例を図面に基づいて説明する。図１〜図４は自動製氷機における冷凍回路のコンデンシングユニットに本考案を実施した例を示していて、このコンデンシングユニットにおいては、ハウジング１１内に配設した電装箱（コントロールボックス）３０の一側にエアフィルタ２１と凝縮器２２とファンモータ２３と圧縮機２４が順次直列に配置され、ファンモータ２３の作動によりハウジング１１の前面に設けた流入口１１ａからエアフィルタ２１と凝縮器２２を通して吸引された空気が圧縮機２４の周囲を通過してハウジング１１の後面に設けた流出口１１ｂからハウジング１１外へ流れるようになっている。なお、エアフィルタ２１は、ハウジング１１の流入口１１ａに通気可能な窓枠１２とともに組付けられていて、凝縮器２２に流れる空気からほこり等を除去して凝縮器２２への付着を防止する。また、ハウジング１１の流出口１１ｂには通気可能なカバー１３が取付けられている。」（段落【０００６】）
　
ニ）「上記のように構成した本実施例においては、風案内板２５が凝縮器２２のファンモータ２３側端部から圧縮機２４の後端側方にまで延在する構成であるため、エアフィルタ２１が目詰まりしていない状態でファンモータ２３の作動によりエアフィルタ２１と凝縮器２２を通して吸引された多量の空気はハウジング１１の側壁１１ｃと風案内板２５に沿って流れ、この側壁１１ｃと風案内板２５に沿って流れた空気は全て圧縮機２４の周囲を通過するため、圧縮機２４が高効率にて冷却される。」（段落【０００８】）
　
・特開昭６０−４７７６号公報（以下、「刊行物２」という。）
　
ホ）「（イ）産業上の利用分野
　本発明は低温庫の下部に設けられ、凝縮器、圧縮機、送風機及びドレン皿等が配設された低温庫のユニット室に関する。」（１頁左下欄１８行〜同頁右下欄１行）
　
ヘ）「（ホ）実施例
　以下、本発明の実施例を第１図乃至第４図に基づいて説明する。
　（１）は冷蔵ショーケース等の低温庫で、上部には前面開口が透明扉（２）により開閉自在に閉塞された被冷却物を収納貯蔵する貯蔵庫（３）が区画形成され、下部にはユニット室（４）が形成されている。このユニット室（４）の前面にはスリット状の開閉自在な扉（５）が設けられた外気吸込口（６）が形成され、背面には吹出口（７）が形成されている。ユニット室（４）の内部のユニット基板（８）には外気吸込口（６）の後方に位置して凝縮器（９）が設置され、さらに凝縮器（９）の後方には外気を外気吸込口（６）から吸い込み凝縮器を通過させるための軸流型の送風機（１０）が設けられている。（１１）は凝縮器（９）と共に冷媒回路を構成する圧縮機で、送風機（１０）の斜め後方に設置されサクションパイプ（１２）が配管接続されている。尚、（９Ａ）は凝縮器（８）と圧縮機（１１）とを結ぶ配管で、（９Ｂ）は凝縮機（９）と冷却器（図示せず）とを結ぶ配管である。（１３）は例えば金属板により形成された本発明に係る仕切板で、ビス（１３Ａ）等によりユニット基板（８）に取り付けられている。尚この仕切板（１３）は第３図に矢印で示したように凝縮器（９）にて熱交換され温度が上昇した暖気が送風機（１０）から後方へ吹き出された後に圧縮機（１１）に吹き当たりユニット基板（８）の横に設けられたドレン皿（１４）の上方へ導かれると共に、暖気のほとんどがドレン皿（１４）上に導かれサクションパイプ（１２）に吹き当たる暖気の量が大幅に削減されるように圧縮機（１１）の近傍からドレン皿（１４）へ向け設置されている。」（２頁右上欄１２行〜同頁右下欄１行）
　
ト）「第４図は他の実施例として示したユニット室上面図で、第３図と同符号のものは同様なものとして詳細な説明は省略する。（２０）はユニット室（４）の送風機（１１）後方側部に設置されたレシバタンクで凝縮機（９）に配管（９Ｃ）により膨張弁（９Ｄ）を介して接続されている。又、圧縮機（１１）は送風機（１０）後方のユニット室（４）略中央に設置されている。（１３）は例えば金属板を折曲形成した本発明に係る仕切板で、この仕切板（１３）は第４図に示したようにレシバタンク（２０）、サクションパイプ（１２）と圧縮機（１１）、送風機（１０）とを仕切るように設置され、凝縮機（９）にて熱交換され送風機（１０）から吹き出た暖気は矢印で示した様に仕切板（１３）により導かれ圧縮機（１１）の周囲を通過してから蒸発部材（１５）へ流れる。従って、送風機（１０）から吹き出た暖気により圧縮機（１１）を効率よく冷却することができ、圧縮機巻線温度上昇の防止等上記実施例と同様の効果を得ることができる。」（３頁左上欄１９行〜同頁右上欄１５行）
　
（４）対比
　
　上記「（３）　イ）、ロ）」より、本願発明と、刊行物１に記載されたものは、低温装置において、凝縮器、圧縮機、ファンモータを収納するユニットに関するものである点で、共通する技術分野に属する。
　
　上記「（３）　ハ）」より、「エアフィルタ２１と凝縮器２２とファンモータ２３と圧縮機２４が順次直列に配置され」ている。また、刊行物１【図３】に記載された「風案内板２５」の設置位置、および、矢印で示されている「コンデンシングユニット」内の空気の流れ、ならびに上記「（３）　ニ）」の「風案内板２５が凝縮器２２のファンモータ２３側端部から圧縮機２４の後端側方にまで延在する構成であるため、エアフィルタ２１が目詰まりしていない状態でファンモータ２３の作動によりエアフィルタ２１と凝縮器２２を通して吸引された多量の空気はハウジング１１の側壁１１ｃと風案内板２５に沿って流れ、この側壁１１ｃと風案内板２５に沿って流れた空気は全て圧縮機２４の周囲を通過するため、圧縮機２４が高効率にて冷却される」との記載から、「風案内板２５」は「圧縮機２４」の側方で「圧縮機２４」と間隔をおき、かつ、「ファンモータ２３」からの冷却空気吐出方向より外れた位置に配設されていて、冷却空気の流れをガイドし、「圧縮機２４」の両側方に冷却空気通路を形成しているものと解される。
　すると、刊行物１には以下の発明が記載されている。
「凝縮機２２、ファンモータ２３及び圧縮機２４が順次直列に配置され、上記圧縮機２２の側方で上記圧縮機２２と間隔をおき、かつ、上記ファンモータ２３からの冷却空気吐出方向より外れた位置に風案内板２５が配設されて、上記風案内板２５が冷却空気の流れをガイドし、上記圧縮機２２の両側方に冷却空気通路が形成されたコンデンシングユニット」
　
　本願発明を刊行物１に記載された発明と比較すると、刊行物１に記載された「凝縮機２２」、「ファンモータ２３」、「圧縮機２４」、「コンデンシングユニット」は、本願発明の「冷媒凝縮機」、「ファンモータ」、「冷媒圧縮機」、「冷凍ユニット」にそれぞれ相当するから、両者は、以下の点で一致し、かつ、相違する。
　
［一致点］
「冷媒凝縮器、ファンモータ及び冷媒圧縮機が順次直列に配置され、上記冷媒圧縮機の側方で上記冷媒圧縮機と間隔をおき、かつ、上記ファンモータからの冷却空気吐出方向より外れた位置に物品が配設されて、上記物品が冷却空気の流れをガイドし、上記冷媒圧縮機の両側方に冷却空気通路が形成された冷凍ユニット」
　
［相違点］
　
相違点ａ：
　本願発明は「物品」を、「付属部品」としたのに対し、刊行物１に記載された発明は「風案内板２５」とした点で構成上相違する。
　
（５）当審の判断
　
・相違点ａについて
　刊行物１の【図３】には付属部品として「電装箱（コントロールボックス）」が記載されている。
　刊行物２に記載されたものは、上記「（３）　ホ）」の記載より、低温装置における凝縮器、圧縮機、ファンモータを収納するユニットに関するものである点で、本願発明及び刊行物１に記載されたものと共通する技術分野に属する。刊行物２第４図には、上記「（３）　ヘ）、ト）」より、付属部品として「膨張弁（９Ｄ）」「レシバタンク（２０）」が記載されている。
　
　刊行物１の上記「（３）　ニ）及び刊行物２の上記「（３）　ト）」には、ファンモータ（刊行物２に記載された「送風機１０」に相当）からの空気が圧縮機周囲を流れることで圧縮機を冷却するという技術的思想が開示されている。そして、低温装置の圧縮機周囲の空気の流れを良好にするために、付属品の配置を工夫することは、本願出願前周知（例えば特開平３−８７５８２号公報。）の事項である。
　
　すると、「冷媒圧縮機の両側方に冷却空気通路を形成する」ために、刊行物１に記載された「風案内板２５」に代えて、例えば刊行物１や刊行物２に記載されたような「付属部品」により「冷却空気の流れをガイド」するは、刊行物２ならびに本願出願前周知の事項に基づいて当業者が容易に為し得たものであり、作用・効果の点で格別なものを奏するものも存しない。
　
４．むすび
　
　以上のとおりであるから、本願発明は刊行物１及び２ならびに本願出願前周知の事項に基づいて当業者が容易に発明することができたものである。
　したがって、本願発明は特許法第２９条第２項の規定により特許を受けることができない。
　よって、結論のとおり審決する。